(57)【要約】【課題】カメラ部を用いてユーザーの認証方法及びそのための移動通信端末機を提供する。【解決手段】本発明は、ユーザーのモーションパターンを受信するカメラ部と、ロック機能のためのモーションパターンを貯蔵するメモリ部と、所定のロック機能を選択すると、カメラ部を活性化し、カメラ部を通じて入力されるモーションパターンとメモリ部に貯蔵されたモーションパターンとを比較し、その比較結果によりロック機能を解除するか否かを判定する制御部とを含む移動通信端末機を提供する。【選択図】図２
2007006487.tif 000002
【特許請求の範囲】
【請求項１】
ユーザーのモーションパターンを受信するカメラ部と、
ロック機能のためのモーションパターンを貯蔵するメモリ部と、
所定のロック機能を選択すると、前記カメラ部を活性化し、前記カメラ部を通じて入力されるモーションパターンと前記メモリ部に貯蔵されたモーションパターンとを比較し、その比較結果によりロック機能を解除するか否かを判定する制御部と、
を含むことを特徴とする移動通信端末機。
【請求項２】
前記比較結果、前記カメラ部を通じて入力されるモーションパターンと前記メモリ部に貯蔵されたモーションパターンが一致すると、前記制御部は、前記ロック機能を解除することによって活性化されることを特徴とする請求項１記載の移動通信端末機。
【請求項３】
前記比較結果、前記カメラ部を通じて入力されるモーションパターンと前記メモリ部に貯蔵されたモーションパターンが一致しないと、前記制御部は、前記ロック機能に対するロック状態を維持することを特徴とする請求項１記載の移動通信端末機。
【請求項４】
モーション入力パターンが前記メモリに貯蔵されたモーションパターンと一致しないと、前記モーションパターンはユーザーによって反復的に入力可能であることを特徴とする請求項１記載の移動通信端末機。
【請求項５】
ユーザーのモーションパターンを受信するカメラ部を備える移動通信端末機におけるユーザーの認証方法であって、
ロック機能のためのモーションパターンを貯蔵する段階と、
所定のロック機能を選択すると、前記カメラ部を活性化する段階と、
前記カメラ部を通じて入力されるモーションパターンと前記メモリ部に貯蔵されたモーションパターンとを比較する段階と、
前記比較結果により前記所定のロック機能を解除するか否かを判定する段階と、
を有することを特徴とする方法。
【請求項６】
前記比較結果、前記カメラ部を通じて入力されるモーションパターンと前記メモリに貯蔵されたモーションパターンが一致すると、前記ロック機能を解除することによって活性化する段階をさらに有することを特徴とする請求項５記載の方法。
【請求項７】
前記比較結果、前記カメラ部を通じて入力されるモーションパターンと前記メモリに貯蔵されたモーションパターンが一致しないと、前記ロック機能に対するロック状態を維持する段階をさらに有することを特徴とする請求項５記載の方法。
【請求項８】
ユーザーのモーションを受信するカメラ部と、
所定のロック機能を選択するときに、前記カメラ部を活性化し、前記カメラ部を通じて入力されるモーションによる軌跡を認識し、前記軌跡による文字を認識した後に、認識した文字と貯蔵されたパスワードとを比較し、その比較結果により、前記ロック機能を解除するか否かを判定する制御部と、
を含むことを特徴とする移動通信端末機。
【請求項９】
前記比較結果、前記認識された文字と貯蔵されたパスワードが一致すると、前記制御部は、前記ロック機能を解除することによって活性化することを特徴とする請求項８記載の移動通信端末機。
【請求項１０】
前記比較結果、前記認識された文字と貯蔵されたパスワードが一致しないと、前記制御部は、前記ロック機能に対するロック状態を維持することを特徴とする請求項８記載の移動通信端末機。
【請求項１１】
前記制御部は、
前記比較結果、前記認識された文字と貯蔵されたパスワードが一致しないと、モーション入力の現在回数が予め定められた回数に至ったか否かを判定する段階と、
モーション入力の現在回数が予め定められた個数を超えないと、ユーザーにパスワードの入力のためのモーションを継続して受信する段階と、
を徴とする請求項１０記載の移動通信端末機。
【請求項１２】
ユーザーのモーションパターンを受信するカメラ部を有する移動通信端末機におけるユーザーの認証方法であって、
所定のロック機能を選択するときに、前記カメラ部を活性化する段階と、
前記カメラ部を通じて入力されるモーションによる軌跡を認識し、前記軌跡による文字を認識する段階と、
前記認識された文字と貯蔵されたパスワードを比較し、その比較結果により前記ロック機能を解除するか否かを判定する段階と、
を有することを特徴とする方法。
【発明の詳細な説明】
【技術分野】
【０００１】
本発明はカメラ部を用いるユーザー認証方法及びそのための移動通信端末機に関するものである。
【背景技術】
【０００２】
最近では、移動通信端末機の普及が一般化されつつ、移動通信端末機の画面を通じて運転中に道路状況を知らせることができる交通情報サービス、私だけの独特なベルの音を登録して使用するマイベル(Ｍｙ  Ｂｅｌｌ)サービス、音声メールボックスのメッセージ到着を文字で通報する移動電話呼び出しサービスの多様なサービスが提供されている。この移動通信端末機は、音声メールボックス機能や特殊情報受信機能のようなサービス提供者側から多様な付加サービスが提供される機能が設計されているため、移動通信端末機のユーザーは、固有の電話通話機能以外にも多様な使用上便宜の提供を受けるようになる。
このような多様なサービス及び付加機能が順次拡大され、これにより、移動通信システムは、音声、データだけでなくＩＳＤＮ(Ｉｎｔｅｇｒａｔｅｄ  Ｓｅｒｖｉｃｅ  Ｄｉｇｉｔａｌ  Ｎｅｔｗｏｒｋ)級の数Ｍｂ/ｓのマルチメディアサービスを提供する。この移動通信システムに適合した端末機が開発されている。その一例として、被写体を撮影したイメージを貯蔵する機能を有するカメラ部を備える移動通信端末機が登場するようになった。
【０００３】
この移動通信端末機が大衆化されるにしたがって、ユーザーは移動通信端末機でいつどこでも便利に撮影することができる。また、ユーザーが常に携帯する移動通信端末機にカメラを装着したため、危急時に緊迫した場面を撮影することもでき、それ以外に必要時にいつでも撮影が可能であるという長所がある。
したがって、このような長所に基づいて、カメラ部を備える移動通信端末機をより効率的で多様な方法で活用する必要性がある。移動通信端末機の効用価値を高め、ユーザーの多様な欲求を満たすためにカメラを備える移動通信端末機と、この移動通信端末機の多様なサービス及び付加機能を接続させる活用が必要である。その一例として、前述した移動通信端末機に備えられているカメラ部を用いて文書にプリントされた電話番号及びデータのような文字を認識することができるＯＣＲ(Ｏｐｔｉｃａｌ  Ｃｈａｒａｃｔｅｒ  Ｒｅｃｏｇｎｉｔｉｏｎ)機能を実現することが可能である。
移動通信端末機に備えられたカメラ部を用いて多様な応用が可能であるにもかかわらず、カメラ部の利用はＯＣＲ機能のみに適用されていた。
【発明の開示】
【発明が解決しようとする課題】
【０００４】
したがって、上記のような問題点を解決するために、本発明の目的は、カメラ部を用いてユーザーの認証方法及びそのための移動通信端末機を提供することにある。
【課題を解決するための手段】
【０００５】
上記の目的を達成するために、本発明は、ユーザーのモーションパターンを受信するカメラ部と、ロック機能のためのモーションパターンを貯蔵するメモリ部と、所定のロック機能を選択すると、前記カメラ部を活性化し、前記カメラ部を通じて入力されるモーションパターンと前記メモリ部に貯蔵されたモーションパターンとを比較し、その比較結果によりロック機能を解除するか否かを判定する制御部と、を含むことを特徴とする移動通信端末機を提供する。
また、本発明は、ユーザーのモーションパターンを受信するカメラ部を備える移動通信端末機におけるユーザーの認証方法であって、ロック機能のためのモーションパターンを貯蔵する段階と、所定のロック機能を選択すると、前記カメラ部を活性化する段階と、前記カメラ部を通じて入力されるモーションパターンと前記メモリ部に貯蔵されたモーションパターンとを比較する段階と、前記比較結果により前記所定のロック機能を解除するか否かを判定する段階とを有することを特徴とする。
本発明は、ユーザーのモーションを受信するカメラ部と、所定のロック機能を選択するときに、前記カメラ部を活性化し、前記カメラ部を通じて入力されるモーションによる軌跡を認識し、前記軌跡による文字を認識した後に、認識した文字と貯蔵されたパスワードとを比較し、その比較結果により、前記ロック機能を解除するか否かを判定する制御部とを含むことを特徴とする移動通信端末機を提供する。
また、本発明は、ユーザーのモーションパターンを受信するカメラ部を有する移動通信端末機におけるユーザーの認証方法であって、所定のロック機能を選択するときに、前記カメラ部を活性化する段階と、前記カメラ部を通じて入力されるモーションによる軌跡を生成し、前記軌跡による文字を認識する段階と、前記認識された文字と貯蔵されたパスワードを比較し、その比較結果により前記ロック機能を解除するか否かを判定する段階とを有することを特徴とする。
【発明の効果】
【０００６】
本発明は、移動通信端末機に備えられたカメラ部を用いるためにカメラ部の応用範囲を広げ、ユーザーの使用の便宜性を増大させることができる。また、移動通信端末機で、ロック機能、すなわち保安のために指紋認識のような生体認識技術を用いる必要性なしに、備えられたカメラ部を用いて保安/ロック機能を実現することができる効果がある。
【発明を実施するための最良の形態】
【０００７】
以下、本発明の望ましい実施形態を添付の図面を参照して詳細に説明する。
下記に、本発明に関連した公知の機能或いは構成に関する具体的な説明が本発明の要旨を不明にすると判断された場合に、その詳細な説明を省略する。
【０００８】
本発明の実施形態により、移動通信端末機は、ユーザーによりロック機能(ロック状態での認証の要求機能)が選択されると、カメラ部を活性化してユーザーからモーションパターンを受信する。そして、移動通信端末機は、カメラ部を通じて入力されるモーションパターンを予め貯蔵されたロックパターンと比較し、一致する場合にロック機能を解除する。
他の実施形態により、移動通信端末機は、ユーザーが入力するモーションに対応する軌跡(ｔｒａｃｅ)を認識し、その軌跡に基づいて文字を認識する。移動通信端末機は、認識された文字と貯蔵されたパスワードとを比較し、これらが一致する場合に、ロック機能を解除することによって活性化される。
【０００９】
図１は、本発明によりユーザー認証を遂行する状態を示す。図１を参照すると、移動通信端末機１００は、カメラ部１０２を含む。移動通信端末機１００は、ユーザーが特定のロック機能を選択すると、カメラ部１０２を活性化する。ユーザーは、カメラ部１０２が撮影可能な領域で所定のモーションを行う。ユーザーのモーションは、その動きによる所定のパターンを有する。移動通信端末機１００は、ユーザーから入力されたモーションパターンと予め貯蔵されているモーションパターンとを比較する。その結果、ユーザー入力モーションパターンと貯蔵されたモーションパターンが一致すると、移動通信端末機１００は、ロック機能を解除することによって活性化する。したがって、モーションパターンは、常にユーザーによって同一に入力されるべきである。図１で、特定のモーションは、ユーザーがサイン(ｓｉｇｎ)するモーションで、本発明はこれに限定されない。
一方、移動通信端末機１００は、ユーザーが入力するモーションに対応する軌跡を認識する。言い換えれば、ユーザーが図１に示すように所定の文字によるモーションを行う場合に、移動通信端末機１００は、モーションにより軌跡(ｔｒａｃｅ)を認識し、その軌跡に基づいて文字を認識する。移動通信端末機１００は、認識された文字と貯蔵されたパスワードとを比較し、一致する場合にロック機能を解除することによって活性化する。
【００１０】
上記のような移動通信端末機１００のブロック構成は、図２を参照して詳細に説明する。図２は、本発明の実施形態による移動通信端末機のブロック構成図である。移動通信端末機１００は、ＲＦ(Ｒａｄｉｏ  Ｆｒｅｑｕｅｎｃｙ)モジュール１１０と、ベースバンド処理部１２０と、ユーザーインターフェース１３０と、音声処理部１４０と、制御部１５０と、メモリ１６０と、ディスプレー部１７０と、モーション認識部１８０と、カメラ部１９０とを含む。
【００１１】
制御部１５０は、本発明の望ましい実施形態によるロック機能を提供するために、移動通信端末機１００の全般的な動作を制御する。この制御部１５０は、ユーザーにより特定のロック機能が選択されると、カメラ部１９０を活性化する。カメラ部１９０の撮影可能な領域内で、ユーザーは、予め貯蔵されているモーションパターンと同一のモーションパターンを入力する。制御部１５０は、モーション認識部１８０を通じてユーザーが入力したモーションパターンを認識して予めメモリ１６０に貯蔵されたモーションパターンと比較する。ここで、モーション認識部１８０は、カメラ部１９０を通じて撮影されるモーションを認識してその結果を制御部１５０に提供する。制御部１５０は、ユーザーによって入力されたモーションパターンと予めメモリ１６０に貯蔵されたモーションパターンとを比較する。その結果、ユーザーが入力したモーションパターンと予め貯蔵されたモーションパターンが一致すると、制御部１５０は、ユーザーにより選択された特定のロック機能を解除することによって活性化される。
他の実施形態により、制御部１５０は、ユーザーにより特定のロック機能が選択されると、カメラ部１９０を活性化する。同様に、カメラ部１９０の撮影可能な領域内でユーザーはロック解除のためのモーションを入力する。すると、制御部１５０は、ユーザーによって入力されるモーションに対応する軌跡を認識し、その軌跡による文字を認識する。次に、制御部１５０は、認識した文字と貯蔵されたパスワードとを比較し、一致する場合にロック機能を解除することによって活性化される。
【００１２】
ＲＦモジュール１１０は、アンテナを通じて基地局とＲＦ信号を交換する。このＲＦモジュール１１０は、受信されるＲＦ信号をＩＦ(Ｉｎｔｅｒｍｅｄｉａｔｅ  Ｆｒｅｑｕｅｎｃｙ)信号に変換し、ベースバンド処理部１２０に出力し、ベースバンド処理部１２０から入力されるＩＦ信号をＲＦ信号に変換して送信する。ベースバンド処理部１２０は、制御部１５０とＲＦ部１１０との間のインターフェースを提供するＢＢＡ(Ｂａｓｅｂａｎｄ  Ａｎａｌｏｇ)ＡＳＩＣ(Ａｐｐｌｉｃａｔｉｏｎ  Ｓｐｅｃｉｆｉｃ  Ｉｎｔｅｇｒａｔｅｄ  Ｃｉｒｃｕｉｔ)として、制御部１５０から印加されるベースバンドのデジタル信号をアナログＩＦ信号に変換してＲＦモジュール１１０に印加する。ベースバンド処理部１２０は、ＲＦ部１１０から印加されるアナログＩＦ信号をベースバンドのデジタル信号に変換して制御部１５０に印加する。
音声処理部１４０は、制御部１５０の制御下に受信された音声データをスピーカＳＰＫを通じて可聴音に変換して出力し、マイクＭＩＣを通じてユーザーからの音声を電気信号に変換して制御部１５０に提供する。ユーザーインターフェース１３０は、複数の数字キー及び機能キーを備えており、ユーザーによって押されるキーに対応するキー入力データを制御部１５０に出力する。
メモリ１６０は、制御部１５０の制御動作の際に、必要な複数のプログラムと情報を貯蔵するためのＲＯＭ(Ｒｅａｄ  Ｏｎｌｙ  Ｍｅｍｏｒｙ)及びＲＡＭ(Ｒａｎｄｏｍ  Ａｃｃｅｓｓ  Ｍｅｍｏｒｙ)と、音声メモリとを含む。メモリ１６０は、本発明の実施形態により、モーションパターン情報及び文字認識のための情報を貯蔵している。ディスプレー部１７０は、通常にＬＣＤ(Ｌｉｑｕｉｄ  Ｃｒｙｓｔａｌ  Ｄｉｓｐｌａｙ)を使用し、制御部１５０の制御下に多様なメッセージ、アイコンなどを表示する。
【００１３】
以下、移動通信端末機でユーザーモーションパターンを登録し、モーションパターンを用いて認証する場合の制御動作を、図３及び図４を参照して説明する。
図３は、本発明の実施形態により、ユーザーモーションパターンを登録するための制御動作を示すフローチャートである。制御部１５０は、ステップ２１０で、ユーザーによりロック機能の設定メニューが選択されるか否かを判定する。移動通信端末機の各機能は、ユーザーによりロックを設定することが可能である。ロック機能を解除するために、ユーザーは、本発明の実施形態により所定のパスワード又は所定のモーションパターンを入力すべきである。ロック機能は、他人が移動通信端末機で私生活に関連した情報を見たり、ユーザーの許可なしに呼発信を行うことを防ぐために提供される。
ユーザーによりロック機能の設定メニューが選択されると、制御部１５０は、ステップ２２０でカメラ部を活性化し、ステップ２３０でユーザーからモーションパターンを受信する。制御部１５０は、ステップ２４０で、ユーザーにより入力されたモーションパターンをロックパターンとしてメモリ１５０に貯蔵する。
【００１４】
図４を参照して、登録されたモーションパターンを用いて認証する場合を説明する。図４は、本発明の一実施形態により、ユーザー認証を遂行するための制御動作を示すフローチャートである。制御部１５０は、ステップ３１０で、ユーザーによりロック機能が選択されたか否かを判定する。その結果、ユーザーによりロック機能が選択されると、制御部１５０は、ステップ３２０でカメラ部１９０を活性化する。すると、ユーザーは、カメラ部１９０の撮影可能領域内で、予め貯蔵されているモーションパターンと同一のモーションパターンが入力可能である。制御部１５０は、ステップ３３０で、ユーザーからモーションパターンが入力されたか否かを判定する。その結果、ユーザーによりモーションパターンが入力されると、制御部１５０は、ステップ３４０で、入力されたモーションパターンをメモリ１６０に貯蔵されたモーションパターン、すなわちロックパターンと比較する。
ステップ３５０で、ユーザーが入力したモーションパターンと予めメモリ１６０に貯蔵されたモーションパターンとが一致すると、制御部１５０は、ステップ３６０で、ユーザーにより選択されたロック機能を解除することによって活性化される。一方、ステップ３５０で、ユーザーが入力したモーションパターンと予め貯蔵されたモーションパターンとが一致しないと、制御部１５０は、ステップ３７０で、該当機能に対するロック状態を維持する。
【００１５】
図５は、本発明の他の実施形態によりユーザーの認証を遂行するための制御動作を示すフローチャートである。図５を参照すると、制御部１５０は、ステップ４１０で、ユーザーにより特定のロック機能が選択されたか否かを判定する。その結果、ユーザーにより特定のロック機能が選択された場合に、制御部１５０は、ステップ４２０でカメラ部１９０を活性化する。その後、制御部１５０は、ステップ４３０で、ユーザーからモーションが入力されるか否かを判定する。その結果、ユーザーによりモーションが入力されると、制御部１５０は、ステップ４４０で入力されたモーションに対応する軌跡を認識する。制御部１５０は、ユーザー入力モーションの動きにより認識することができる。次に、制御部１５０は、ステップ４５０で、入力軌跡に基づいて文字を認識し、ステップ４６０で入力された文字、すなわち認識した文字とメモリ１６０に貯蔵されたパスワードを比較する。その結果、入力文字と貯蔵されたパスワードが一致すると、制御部１５０は、ステップ４８０で、該当ロック機能を解除することによって活性化される。一方、入力文字と貯蔵されたパスワードが一致しないと、制御部１５０は、ステップ４７０で、パスワードの入力のためのモーション入力がｎ回まで遂行されたか否かを判定する。本発明の実施形態では、ユーザーに数回、すなわちｎ回のパスワードの入力のためのモーションが入力可能に機会を提供する。したがって、パスワードのためのモーション入力の現在回数が予め定められた回数ｎに至ると、制御部１５０は、ステップ４９０でロック状態を維持する。一方、パスワードのためのモーション入力の現在回数が予め定められた回数ｎに至らないと、制御部１５０は、ステップ４３０に戻って、ユーザーからパスワードの入力のためのモーションを受信する。
【００１６】
一方、本発明の実施形態では、ユーザー認証のためにユーザーのモーションパターンを文字で認識するが、本発明はこれに限定されるものではない。例えば、メモ帳入力、ＳＭＳ(Ｓｈｏｒｔ  Ｍｅｓｓａｇｅ  Ｓｅｒｖｉｃｅ)文字入力のように文字入力が必要なすべてのアプリケーションに適用可能であることは、当業者には明白なことであろう。
【００１７】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００１８】
【図１】本発明の実施形態によりユーザー認証を遂行する状態を示す図である。
【図２】本発明の実施形態による移動通信端末機を示すブロック構成図である。
【図３】本発明の実施形態により、ユーザーモーションパターンを登録するための制御動作を示すフローチャートである。
【図４】本発明の一実施形態により、ユーザー認証を遂行するための制御動作を示すフローチャートである。
【図５】本発明の他の実施形態により、ユーザー認証を遂行するための制御動作を示すフローチャートである。
【符号の説明】
【００１９】
１００  移動通信端末機
１１０  ＲＦモジュール
１２０  ベースバンド処理部
１３０  ユーザーインターフェース
１４０  音声処理部
１５０  制御部
１６０  メモリ
１７０  ディスプレー部
１８０  モーション認識部
１０２、１９０  カメラ部
【図１】
2007006487.tif 000003
【図２】
2007006487.tif 000004
【図３】
2007006487.tif 000005
【図４】
2007006487.tif 000006
【図５】
2007006487.tif 000007